(57)【要約】【課題】簡単な構造で、調乳ポットと哺乳びんとを加熱ヒータで保温ないし加熱が可能であり、かつより安全な保温器を提供する。【解決手段】保温器１０は、哺乳びん３１と調乳ポットとを調乳温度で保温する。保温器１０は、加熱手段を内蔵し、底壁部１２と、これを取り囲みかつ上下に第１の長さを有する本体１１と、一方端が開口され、他方端に底面２２を有し、第１の長さより長い第２の長さを有する円筒カバー２０とを含む。円筒カバー２０は、本体１１の底壁部１２を上にした状態で収納可能であり、底面には哺乳びん３１の位置を位置決めする位置決め穴２３が設けられている。【選択図】        図１
2005046222.tif 000002
【特許請求の範囲】
【請求項１】
哺乳びんと調乳ポットとを保温する保温器であって、
加熱手段を内蔵し、底壁部と、これを取り囲みかつ上下に第１の高さを有する本体と、
一方端に開口部を、他方端に底面を有し、前記第１の高さより高い第２の高さを有する円筒体とを含み、
前記円筒体の底面には前記哺乳びんを位置決めする位置決め穴が設けられ、
前記円筒体は、前記哺乳びんを保温するときは、前記底面を上にして前記本体を収容し、前記調乳ポットを保温するときは、前記開口部を上にして前記底面上に前記本体を収容する、保温器。
【請求項２】
前記円筒体の前記開口部の面積は、前記本体の外径の面積より大きい、請求項１に記載の保温器。
【請求項３】
前記円筒体は所定の厚さを有し、内部に空気層を含む中空の樹脂で構成されている、請求項１または２に記載の保温器。
【請求項４】
前記哺乳びんを位置決めする位置決め穴は複数設けられる、請求項１から３のいずれかに記載の保温器。
【請求項５】
前記本体上に前記哺乳びんが載置されたときの前記哺乳びんの頂部までの高さは、前記円筒体の第２高さより高い、請求項１から４のいずれかに記載の保温器。
【請求項６】
前記本体上に前記調乳ポットが載置されたときの前記調乳ポットの頂部までの高さは、前記円筒体の第２高さより高い、請求項１から５のいずれかに記載の保温器。
【請求項７】
前記本体上に前記調乳ポットが載置されたときの前記調乳ポットの把手部は、前記円筒体の外部に延在する、請求項１から６のいずれかに記載の保温器。
【請求項８】
前記本体および前記円筒体には相互の相対位置を位置決めするための位置決め手段が設けられている、請求項１から７のいずれかに記載の保温器。
【請求項９】
前記加熱手段による加熱温度を調整するための温度調整手段を含む、請求項１から８のいずれかに記載の保温器。
【発明の詳細な説明】
【０００１】
【発明の属する技術分野】
この発明は保温器に関し、特に、調乳ポットと哺乳びんとを所定の温度で保温する保温器に関する。
【０００２】
【従来の技術】
乳幼児に授乳するときは、飲料水を１００℃まで加熱煮沸して殺菌した後、５０℃前後まで冷却してお湯にし、そのお湯を哺乳びんに移し、粉ミルクを哺乳びんに所定量入れた後、哺乳びんに吸い口とキャップとをセットして哺乳びんを振って粉ミルクをお湯に溶かすという一連の作業が必要である。このためミルク調乳作業は、乳児を持つ親にとって時間と労力を必要とし、負担が大きい。
【０００３】
このような負担を軽減するために、実開昭５４−１３８８９２号公報には「哺乳びん保温器」が記載されており、特許第２７１０７６０号には「調乳ポット用兼哺乳びん用保温器」が記載されている。これらはいずれも、飲料水を一旦１００℃まで加熱煮沸させた後、５０℃程度まで冷却し、そのお湯を５０℃程度でポットで保温できるようにするとともに、哺乳びんは４０℃の温度で保温できるようにしたものである。
【０００４】
【特許文献１】
実開昭５４−１３８８９２号公報（第１図）
【０００５】
【特許文献２】
特許第２７１０７６０号（段落番号００１６、図１）
【０００６】
【発明が解決しようとする課題】
このような保温器において、簡単な構造で、温度調節機能を有し、調乳ポットと哺乳びんとを加熱ヒータで選択的に保温ないし加熱が可能な保温器が望まれている。
【０００７】
また、従来の保温器では、哺乳びんの保温時には、哺乳びんの周囲がカバーで覆われているが、調乳ポットはそのようなカバーが設けられないため、使用者や幼児が不注意にふれてやけどを起こす可能性があった。
【０００８】
それゆえに、この発明の目的は、簡単な構造で、調乳ポットと哺乳びんとを加熱ヒータで選択的に保温ないし加熱が可能であり、かつより安全な保温器を提供することである。
【０００９】
【課題を解決するための手段】
この発明に係る、哺乳びんと調乳ポットとを調乳温度で保温する保温器は、加熱手段を内蔵し、底壁部と、これを取り囲みかつ上下に第１の高さを有する本体と、一方端に開口部を、他方端に底面を有し、前記第１の高さより高い第２の高さを有する円筒体を含む。円筒体は、本体の底壁部を上にした状態で本体を収容可能であり、底面には哺乳びんを位置決めする位置決め穴が設けられている。
【００１０】
円筒体は、円筒体より低い加熱手段を有する本体を、本体の底壁部を上にした状態で収納可能であり、底面には哺乳びんを位置決めする位置決め穴が設けられているため、加熱される哺乳びんや調乳ポットを本体に載せた状態で、それらが円筒体で覆われる。使用者が加熱部分にふれる可能性が少なくなるため、簡単な構造で、調乳ポットと哺乳びんとを加熱ヒータで選択的に保温ないし加熱が可能であり、かつより安全な保温器を提供できる。
【００１１】
好ましくは、円筒体の開口部の面積は、本体の外径の面積より大きい。円筒体の開口部が本体の外径の面積より大きいため、本体の円筒体内への出し入れが容易になる。
【００１２】
さらに好ましくは、円筒体は所定の厚さを有し、内部に空気層を含む中空の樹脂で構成されている。内部に空気層を有するため、保温性能が優れている。また、透明の樹脂を使用すれば、内部が見えてより好ましい。
【００１３】
さらに好ましくは、哺乳びんを位置決めする位置決め穴は複数設けられる。
さらに好ましくは、本体上に哺乳びんが載置されたときの哺乳びんの頂部までの高さは、円筒体の第２高さより高い。
【００１４】
したがって、円筒カバーのよって哺乳びんが覆われていても外部から容易に取り出せる。
【００１５】
さらに好ましくは、本体上に調乳ポットが載置されたときの調乳ポットの頂部までの高さは、円筒体の第２高さより高い。
【００１６】
したがって、円筒カバーのよって調乳ポットが覆われていても外部から容易に取り出せる。
【００１７】
さらに好ましくは、本体上に調乳ポットが載置されたときの調乳ポットの把手部は、円筒体の外部に延在する。
【００１８】
さらに好ましくは、本体および円筒体には相互の位置を位置決めするための位置決め手段が設けられている。
【００１９】
さらに好ましくは、加熱手段による加熱温度を調整するための温度調整手段を含む。この温度調整手段により、哺乳びんの保温に最適な温度を設定できるとともに調乳ポットを最適な温度で加熱後保温することができる。
【００２０】
【発明の実施の形態】
以下、この発明の一実施の形態を図面を参照して説明する。図１はこの発明の一実施形態における保温器の斜視図であり、哺乳びんを保温している状態を示している。
【００２１】
図１を参照して、保温器１０は、円柱形の本体１１と、本体１１全体を覆って設けられる円筒カバー２０とを含む。円筒カバー２０は所定の厚さを有する、たとえば、ポリプロピレンのような、透明の樹脂で形成されている。そのため、図１においては、加熱ヒータを有する本体１１および哺乳びん３１が見える状態となっている。また、透明の樹脂の内部は中空となっており、内部に空気層を有する。円筒カバー２０が内部に空気層を有する樹脂で構成されているため、保温性能が優れている。
【００２２】
次に、保温器１０を構成する本体１１について説明する。図２（Ａ）は本体１１の平面図であり、図２（Ｂ）は正面図であり、図３は底面図である。図１〜図３を参照して、本体１１は壁部１３で周囲を規定された底壁部１２と、これを取り囲み、上下に延びる周壁１４とを有している。底壁部１２と周壁１４はたとえば耐熱性のある合成樹脂からなる部材で形成されている。底壁部１２にはたとえばニクロム線やセラミックヒータなどからなる図示の無い加熱ヒータが内蔵されている。
【００２３】
本体１１の周壁１４の下部には、平面状のパネル部１５が設けられており、その内部には、図示のない温度調整機構が内蔵されている。温度調整機構は加熱ヒータに供給する電圧をサーモスタットなどで制御して設定された一定の温度にする。パネル部１５には温度を調整するための温度調整つまみ１６と、電源ケーブル１８を接続するための電源接続部１７が設けられている。
【００２４】
本体１１のパネル部１５の反対側の周壁１４には、後に説明する、本体１１の円筒カバー２０の位置決め部と係合する位置決め部１９が設けられている。
【００２５】
次に円筒カバー２０について説明する。図４（Ａ）は円筒カバー２０の平面図であり、図４（Ｂ）は図４（Ａ）のＢ−Ｂで示す部分の矢視図であり、円筒カバーの断面図（左側）および側面図（右側）であり、図５は底面図である。
【００２６】
図１、図４および図５を参照して、円筒カバー２０は、一方端に開口部２５を有し、他方端に底面２２を有し、開口部２５の直径が底面２２側の直径よりも大きな寸法を有している。開口部２５と底面２２との間にはテーパ状の側壁２１が設けられている。
【００２７】
底面２２には、３つの位置決め穴２３と、３つの凸部２４が設けられ、位置決め穴２３によって本体１１上に載置された哺乳びん３１の位置決めが行われる。
【００２８】
図４（Ｂ）および図５に示すように、円筒カバー２０の内周面には、本体１１の位置決め部１９と係合するための位置決め部２７が設けられている。また、位置決め部２７の反対側の開口部２５側には、隙間部２６が設けられている。
【００２９】
次に両者を組み合わせた状態について説明する。図６は図１に示した本体１１と円筒カバー２０とが組み合わされた状態の平面図であり、図７はその側面図であり、図８はその底面図である。これらの図では、円筒カバー２０の内部が見えない状態（または、円筒カバー２０が不透明の材料で形成されている場合）を示している。
【００３０】
保温器１０において、哺乳びん３１を保温するときは、図１および図６〜図８に示すように円筒カバー２０を底面２２が上を向くようにして内部に本体１１を収容する。３つの位置決め穴２３ａ〜２３ｃのいずれかに哺乳びん３１を挿入する。なお、予め、温度調整つまみ１６により温度をたとえば４０℃位に設定しておくものとする。図示のない温度調整機構は、温度調整つまみ１６で設定された温度となるように加熱ヒータを制御する。
【００３１】
図１および図７から分るように、この実施の形態においては、円筒カバー２０の高さが、本体１１より高く、かつ本体１１上に哺乳びん３１を載置したときに、哺乳びん３１の頂部が突出し、びんの部分がほぼ隠れる寸法としたため、加熱または保温中に使用者が哺乳びんにふれてやけどをするといった心配がない。一方で、哺乳びんを外部から取り出したり、本体上に置くといった動作を容易に行うことができる。
【００３２】
また、上記したように、円筒カバー２０の保温性能が優れているため、加熱ヒータによる加熱も少ない電力で設定された温度にすることができる。
【００３３】
図８に示すように、本体１１を収容して円筒カバー２０が設置される時には、本体１１の凹状の位置決め部１９と、円筒カバー２０の凸状の位置決め部２７とは係合し、相互に移動しないようになっている。
【００３４】
また、この使用状態において、円筒カバー２０の下部に置かれた本体１１からの電源コード１８は、円筒カバー２０の開口部２５に設けられた隙間２６から取り出される（図７および図８参照）。
【００３５】
次に、調乳ポットを加熱または保温する場合について説明する。図９は、保温器１０で調乳ポット３３を加熱または保温する状態を示す図である。この図においては、円筒カバー２０が透明の樹脂で構成され、内部が見える状態になっている。
【００３６】
図９を参照して、調乳ポット３３を加熱または保温するときは、円筒カバー２０の底面２２が下になるように円筒カバー２０を置く。この状態で本体１１を底面２２上に設置する。そして本体１１の底壁部１２上に調乳ポット３３を載置する。調乳ポット３３で飲料水を加熱煮沸させるために温度調整つまみ１６により１００℃に設定し、煮沸後、温度調整つまみ１６によりたとえば５０℃に設定する。図示の無い温度調整機構は、設定された温度になるように加熱ヒータを制御するので、調乳ポット３３内の飲料水を煮沸させた後、一定温度で保温することができる。
【００３７】
円筒カバー２０の開口部２５の面積は、本体１１の外周の面積より大きいため、本体１１や調乳ポットの３３の円筒カバー２０内への設置または取り出しが容易である。円筒カバー２０の側壁は開口部側に開いたテーパ状とすればより好ましい。
【００３８】
また、保温時には、調乳ポット３３が円筒カバー２０によって覆われるため、さめにくく、より長時間の保温が可能になる。
【００３９】
図１０から図１２は、このように調乳ポット３３を本体１１上に載置したときの、平面図、側面図および底面図である。図１１および図１２においては、円筒カバー２０の内部は図示していない。図１０〜図１２を参照して、調乳ポット３３の加熱または保温時においては、円筒カバー２０の側壁２１で調乳ポット３３の側面がカバーされているため、使用時に使用者が不注意に調乳ポット３３にふれて、やけど等をするおそれがなくなる。
【００４０】
また、図に示すように、本体１１上に調乳ポット３３が載置されたときの調乳ポット３３の頂部までの高さは、円筒体２０の高さより高い。したがって、外部からの調乳ポット３３の取り出しや本体１１上への載置等の動作を容易に行うことができる。
【００４１】
また、本体１１上に調乳ポット３３が載置されたとき、調乳ポット３３の把手部３４は円筒体２０の外部に位置するような寸法となっている。これによって、必要な部分のみを加熱し、把手部３４は周囲の温度に保つことができる。
【００４２】
上記したように、底面２２には、凸部２４および３つの位置決め穴２７が設けられている。この凸部２４で形成される空間および位置決め穴２７の一つを介してパネル部１５からの電源ケーブル１８が外部へ取り出される。
【００４３】
この使用形態においては、調乳ポット３３の取り出し後においては、本体１１は円筒カバー２０の底部に保持されるため、使用者や幼児等が、加熱された本体１１に接触することはない。
【００４４】
上記実施の形態においては、円筒カバーを透明の樹脂で形成した場合について説明したが、これに限らず、色つきの不透明材料や半透明材料で形成してもよい。
【００４５】
上記実施の形態においては、哺乳びん用の位置決め穴が３つの場合について説明したが、これに限らず、所望の数の位置決め穴を設けてもよい。また、円筒カバーにおいて、底面を側壁と別体とし、いくつかの位置決め穴を有する底面を取り外し可能に構成してもよい。
【００４６】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【図面の簡単な説明】
【図１】この発明の一実施形態における保温器の外観斜視図であり、哺乳びんを保温している状態を示す。
【図２】本体の平面図および側面図である。
【図３】本体の底面図である。
【図４】円筒カバーの平面図および側面図である。
【図５】円筒カバーの底面図である。
【図６】図１に示した保温器の平面図である。
【図７】図１に示した保温器の側面図である。
【図８】図１に示した保温器の底面図である。
【図９】保温器で調乳ポットを保温している状態を示す外観斜視図である。
【図１０】図９に示した保温器の平面図である。
【図１１】図９に示した保温器の側面図である。
【図１２】図９に示した保温器の底面図である。
【符号の説明】
１０  保温器、１１  本体、１２  底壁部、１３  壁部、１４  周壁、１５  パネル部、１６  温度調整つまみ、１７電源接続部、１８  電源ケーブル、１９位置決め部、２０  円筒カバー、２１  側壁、２２  底面、２３  位置決め穴、２４  凸部、２５  開口部、２６  隙間部、２７  位置決め部、３１  哺乳びん、３３調乳ポット。
【図１】
2005046222.tif 000003
【図２】
2005046222.tif 000004
【図３】
2005046222.tif 000005
【図４】
2005046222.tif 000006
【図５】
2005046222.tif 000007
【図６】
2005046222.tif 000008
【図７】
2005046222.tif 000009
【図８】
2005046222.tif 000010
【図９】
2005046222.tif 000011
【図１０】
2005046222.tif 000012
【図１１】
2005046222.tif 000013
【図１２】
2005046222.tif 000014